(57)【要約】【課題】切り餅を飾り餅として飾ることができ、食する際には包丁等で切断するという面倒な作業を要せずにこのまま直ぐに調理し、食することができる飾り餅ケースを提供する。【解決手段】切り餅６を封入するよう透明なプラスチックシートによって形成したボックス状のケース本体１を備える。該ケース本体１の周囲には三宝、重ね餅、重ね果実よりなる飾り餅風の絵柄２を、ケース本体１の上面には飾り餅を上方から見た絵柄２を、ケース本体１の下面には三宝を下方から見た絵柄２をそれぞれ表示する。また、三宝、重ね餅、重ね果実よりなる飾り餅風の絵柄２のうち、重ね餅の絵柄２ａ部分を透視可能とする。【選択図】図３
0003132578.tif 000002
【実用新案登録請求の範囲】
【請求項１】
切り餅を封入するよう透明なプラスチックシートによって形成されたボックス状のケース本体を備え、該ケース本体の周囲には、三宝、重ね餅、重ね果実よりなる飾り餅風の絵柄が表示されていることを特徴とする飾り餅ケース。
【請求項２】
ケース本体は、その上面に飾り餅を上方から見た絵柄が、下面に三宝を下方から見た絵柄がそれぞれ表示されている請求項１記載の飾り餅ケース。
【請求項３】
三宝、重ね餅、重ね果実よりなる飾り餅風の絵柄のうち、重ね餅の絵柄部分を透視可能とした請求項１または２記載の飾り餅ケース。
【請求項４】
切り餅を封入するよう透明なプラスチックシートによって形成されたボックス状のケース本体を備え、該ケース本体の周囲には三宝、重ね餅、重ね果実よりなる飾り餅風の絵柄が、ケース本体の上面には飾り餅を上方から見た絵柄が、ケース本体の下面には三宝を下方から見た絵柄がそれぞれ表示されていると共に、三宝、重ね餅、重ね果実よりなる飾り餅風の絵柄のうち、重ね餅の絵柄部分を透視可能としたことを特徴とする飾り餅ケース。
【考案の詳細な説明】
【技術分野】
【０００１】
本考案は、例えば正月、祝い事その他の祭事に際し飾り付けられるお供え餅となる重ね状の飾り餅を三宝に載せ、当該飾り餅の上には各種の飾り具、縁起物例えば飾り果実体、飾り海老、御幣等の飾り物を載せてなるような絵柄を表示したボックス状の飾り餅ケースに関する。
【背景技術】
【０００２】
従来から正月や祝い事等に際し、重ね飾り餅が用いられており、その飾りには大小の円形状のお供え餅を２段に重ね、その上に蜜柑等の果実を飾りに置いたり、縁起物の飾り海老、御幣等を取り付けたりしている。
【０００３】
このような重ね飾り餅を長期にわたって飾っておくことで生じる不都合等を解消すべく、黴らせずに永持ちさせた状態で飾ることができ、所定の飾り期間が過ぎてからは、この飾り餅を取り出して食することができる種々の飾り餅用容器が提案されている。
【０００４】
例えば、特許文献１としてプラスチック製の重ね餅形状の容器に飾り用の重ね果実を接着した飾り重ね餅が提案されている。これは容器の上部に手で引き剥がす際に略全ての接着剤が重ね果実と共に剥離され、重ね餅の表面が滑面となるよう容器と接着剤の素材が設定されている。
【０００５】
また、特許文献２として提案された飾り重ね餅は、プラスチック製の重ね餅形状の容器内に餅を詰入すると共に、ミカンを表現したプラスチック製の重ね果実を重ね餅の上部に重ねておき、一部が重ね餅に当接するプラスチック製の透視できるカバー体を重ね果実に着脱自在に被せ、更に箱体内に収納してなる。
【０００６】
さらに、特許文献３として提案された飾り重ね餅は、餅を収納したプラスチック製の重ね餅形状に形成した容器の下部開口部を貼着したフィルムにて閉塞し、三方を模した台部材に係止させるものとし、容器上に置かれる重ね果実を、容器の上部および重ね果実全体を被嵌状態でカバー体によって覆うものとしてなる。
【特許文献１】特許第２９３４８７３号公報
【特許文献２】特許第２９６１１４１号公報
【特許文献３】特許第３３６９５２２号公報
【考案の開示】
【考案が解決しようとする課題】
【０００７】
しかしながら、従来においては、重ね餅形状の容器は単に飾るだけであって、所定の期間が過ぎればこの容器は収納された餅と共に破棄されてしまうのが殆どであるため、非経済的なものとなる。
【０００８】
また、所定の飾り期間が過ぎてからは、重ね餅形状の容器内から餅を取り出して食することもできるのであるが、このような場合、頑丈なプラスチック製の素材からなる容器から２段重ねの餅を取り出してからも、包丁等で所定の大きさに切断しなければならず非常に面倒であるという問題点を有していた。
【０００９】
そこで、本考案は叙上のような従来存した諸事情に鑑み創案されたもので、例えば正月や祝い事等に際し、飾り餅として餅を黴らせずに永持ちさせた状態で飾ることができ、所定の飾り期間が過ぎてからは、包丁等で餅を切断するという面倒な作業を要せずに餅を取り出した状態でこのまま直ぐに調理し、食することができる飾り餅ケースを提供することを目的とする。
【課題を解決するための手段】
【００１０】
上述した課題を解決するため、本考案にあっては、切り餅６を封入するよう透明なプラスチックシートによって形成されたボックス状のケース本体１を備え、該ケース本体１の周囲には、三宝、重ね餅、重ね果実よりなる飾り餅風の絵柄２が表示されているものである。
また、ケース本体１は、その上面に飾り餅を上方から見た絵柄２が、下面に三宝を下方から見た絵柄２がそれぞれ表示されているものとできる。
さらに、三宝、重ね餅、重ね果実よりなる飾り餅風の絵柄２のうち、重ね餅の絵柄２ａ部分を透視可能とすることができる。
【００１１】
以上のように構成された本考案に係る飾り餅ケースにあって、透視可能な重ね餅の絵柄２ｂは、ケース本体１内部に収納されている切り餅６を透視させる。
また、ケース本体１内には切り餅６を封入してあるから、飾り終ってからケース本体１内から取り出して、そのままで調理し、食するようにできる。
【考案の効果】
【００１２】
本考案によれば、例えば正月や祝い事等に際し、飾り餅として餅を黴らせずに永持ちさせた状態で飾ることができ、所定の飾り期間が過ぎてからは、包丁等で餅を切断するという面倒な作業を要せずに餅を取り出した状態でこのまま直ぐに調理し、食することができる。
【００１３】
すなわち、これは本考案が、透明なプラスチックシートによって形成されたボックス状のケース本体１の周囲には、三宝、重ね餅、重ね果実よりなる飾り餅風の絵柄２を表示し、該ケース本体１内に切り餅６を封入したからであり、これによって、餅を黴らせずに永持ちさせた状態で飾り餅として飾ることができると共に、飾り餅使用後にはケース本体１から切り餅６を取り出してこのまま直ぐに調理し、食することができる。
【００１４】
また、ケース本体１は、その上面には飾り餅を上方から見た絵柄２が、下面には三宝を下方から見た絵柄２がそれぞれ表示されているので、ケース本体１をどのような角度から見ても、実体感のある飾り餅を表現することができる。
【００１５】
さらに、三宝、重ね餅、重ね果実よりなる飾り餅風の絵柄２のうち、重ね餅の絵柄２ａ部分を透視可能としたので、ケース本体１内部に封入した切り餅６を実際に透視でき、また三宝に重ね餅が載せられている観を呈することができる。
【００１６】
尚、上記の課題を解決するための手段、考案の効果の項夫々において付記した符号は、図面中に記載した構成各部を示す部分との参照を容易にするために付したもので、図面中の符号によって示された構造・形状に本考案が限定されるものではない。
【考案を実施するための最良の形態】
【００１７】
以下、図面を参照して本考案を実施するための最良の一形態を説明する。図において示される符号１は、本考案に係る飾り餅ケースを構成するケース本体であり、該ケース本体１は、透明なプラスチックシート（ＰＥＴ）によって形成されている。そして、図１に示すように、その展開状態において、右側より右側面部１ａ、正面部１ｂ、左側面部１ｃ、背面部１ｄとが連設され、正面部１ｂの上端には上蓋部１ｅが、正面部１ｂの下端には下蓋部１ｆがそれぞれ連設されている。
【００１８】
また、右側面部１ａおよび左側面部１ｃそれぞれの上下両端にはフラップ部３が延設され、上蓋部１ｅおよび下蓋部１ｆそれぞれの先端には差し込み片４が延設されている。さらに、背面部１ｄの側端には、当該背面部１ｄの側端を右側面部１ａの側端に接合するための糊代部５が設けられている。こうすることで、直方体状の内部が空洞となっているボックス状のケース本体１を形成している。
【００１９】
右側面部１ａ、正面部１ｂ、左側面部１ｃ、背面部１ｄには、三宝の上に２段による重ね餅を載せ且つ重ね餅の上に重ね果実を載せてなる絵柄２の右側、正面側、左側、背面側がそれぞれ表示されている。
【００２０】
また、上蓋部１ｅには飾り餅を上方から見た状態の絵柄２が表示され、下蓋部１ｆには三宝を下方から見た状態の絵柄２が表示されている。そして、絵柄２のうちの重ね餅の絵柄２ａを表示した部分と、フラップ部３、差し込み片４、糊代部５それぞれを透明な状態すなわち透明なプラスチックシート（ＰＥＴ）素地のままとしてある。
【００２１】
上記した構成のケース本体１がボックス状に組み立てられた際には、図２に示すように、ケース本体１の周囲には、三宝の上に２段による重ね餅を載せ且つ重ね餅の上に重ね果実を載せた絵柄２が配置され、ケース本体１の上面には飾り餅を上方から見た状態の絵柄２が配置され、ケース本体１の下面には三宝を下方から見た状態の絵柄２が配置される。そして、重ね餅の絵柄２ａが表示された部分は透明であるため、ケース本体１内部が透視できるものとなり、後述する切り餅６を直接に透視できるようにしている。
【００２２】
また、このケース本体１内には、図３に示すように、例えば正方形の切り餅６が縦方向に２段、前後方向に４列にして合計８個が収納される。尚、この段数や収納数はこれに限らない。また、これら収納される切り餅６には、長期保存を可能にするためのシュリンクラッピングが各々に施されている。
【００２３】
次に、以上のように構成された最良の形態についての組立、使用の一例について説明する。先ず、右側面部１ａ、正面部１ｂ、左側面部１ｃ、背面部１ｄそれぞれを角状に折り込んで、糊代部５によって背面部１ｄの側端を右側面部１ａの側端に接合する。そして、下蓋部１ｆ側のフラップ部３を互いに内側に折り込んでから、下蓋部１ｆを内側に折り込み、背面部１ｄの下端縁内側に差し込み片４を差し込む。
【００２４】
次いで、図３に示すように、開放されている上蓋部１ｅ側から、シュリンクラッピングを施した切り餅６を例えば縦方向に２段、前後方向に４列にして合計８個を収納したのち、上蓋部１ｅ側のフラップ部３を互いに内側に折り込んでから、上蓋部１ｅを内側に折り込み、背面部１ｄの上端縁内側に差し込み片４を差し込む。
【００２５】
このケース本体１を飾り餅として使用した際には、図２に示すように、ケース本体１の周囲および上下からは、三宝の上に２段による重ね餅を載せ且つ重ね餅の上に重ね果実を載せた飾り餅が現出される。このとき、重ね餅の絵柄２ａが表示されている部分は透明であるため、ケース本体１内部に収納されている切り餅６を透視できるものとなり、実際に三宝に重ね餅が載せられている観を呈するものとなるのである。
【００２６】
また、飾り餅使用後には、ケース本体１の上蓋部１ｅを開けてから切り餅６を取り出し、シュリンクラッピングを剥離して調理し、食すれば良い。
【図面の簡単な説明】
【００２７】
【図１】本考案を実施するための最良の形態における飾り餅ケースを展開した状態の平面図である。
【図２】同じく飾り餅ケースの使用状態を示す斜視図である。
【図３】同じく飾り餅ケースから切り餅の一部を取り出した状態を示す斜視図である。
【符号の説明】
【００２８】
１…ケース本体                          １ａ…右側面部
１ｂ…正面部                            １ｃ…左側面部
１ｄ…背面部                            １ｅ…上蓋部
１ｆ…下蓋部                            ２…絵柄
２ａ…重ね餅の絵柄                      ３…フラップ部
４…差し込み片                          ５…糊代部
６…切り餅
【図１】
0003132578.tif 000003
【図２】
0003132578.tif 000004
【図３】
0003132578.tif 000005